(57)【要約】【課題】薄厚のパッキンシートが予め取り付けられる錠前台座の取付構造において、パッキンシートを捲ることなく、錠前台座を仮固定から本固定できる錠前台座の取付方法及びそれに用いる捲れ防止シートを得る。【解決手段】パッキンシート２５を挟んで取付板１を取り付けた後、パッキンシート周縁２５ａの一部分を覆う捲れ防止シート４５を剥離可能に扉面３ａに貼り、錠前台座１５を取付板１に係止して扉面３ａに取り付けた後、パッキンシート２５と錠前台座１５の当接周端面１５ａとに挟まれた捲れ防止シート４５を、扉面３ａから剥離して抜き取る。【選択図】      図５
2007126938.tif 000002
【特許請求の範囲】
【請求項１】
扉面との間にパッキンシートを挟入し外周から該パッキンシートの周縁が延出するように取付板を前記扉面に取り付け、該取付板に突設した受板の切欠に係止板を係止させつつ前記取付板を内方に収容し当接周端面を前記パッキンシートの前記周縁に押し当てて錠前台座を前記扉面に取り付ける錠前台座の取付方法であって、
前記パッキンシートを挟んで前記取付板を取り付けた後、前記パッキンシート周縁の一部分を覆う捲れ防止シートを剥離可能に前記扉面に貼り、
前記錠前台座を前記取付板に係止して前記扉面に取り付けた後、前記パッキンシートと前記錠前台座の当接周端面とに挟まれた前記捲れ防止シートを、前記扉面から剥離して抜き取ることを特徴とする錠前台座の取付方法。
【請求項２】
外周からパッキンシートの周縁が延出するように該パッキンシートを挟んで取付板を扉面に取り付けた後、前記パッキンシート周縁の一部分を覆うように剥離可能に前記扉面に貼られ、錠前台座を前記取付板に係止して前記扉面に取り付けることで前記パッキンシートと該錠前台座の当接周端面とに挟まれた後、前記扉面から剥離して抜き取られる捲れ防止シートであって、
滑り性を有する所定強度のフイルム材からなり、
前記扉面に剥離可能に接着する粘着層が、前記パッキンシートと前記錠前台座の当接周端面とに挟まれない辺部周縁に形成されたことを特徴とする捲れ防止シート。
【請求項３】
少なくとも前記粘着層の形成領域以外の領域に、前記抜き取り方向と平行な複数の摩擦軽減溝が形成されたことを特徴とする請求項２記載の捲れ防止シート。
【請求項４】
前記粘着層の形成領域以外の領域が、前記辺部を一辺とする略三角形状に形成されたことを特徴とする請求項２又は３記載の捲れ防止シート。
【請求項５】
前記粘着層の形成領域以外の領域が、前記辺部を径方向とする略半楕円形状に形成されたことを特徴とする請求項２又は３記載の捲れ防止シート。
【発明の詳細な説明】
【技術分野】
【０００１】
本発明は、錠前付把手などの基台となる錠前台座を、扉面に取り付ける際の錠前台座の取付方法及びそれに用いる捲れ防止シートに関し、さらに詳しくは、錠前台座の取り付け時に、取付穴を通る隙間風を遮断するために挟入されるパッキンシートの捲れを防止する改良技術に関する。
【背景技術】
【０００２】
扉の表面には、錠単体、把手単位、或いは錠付把手が取り付けられる場合がある。一般的に、錠付把手を扉面に取り付ける場合には、この錠付把手の基台である錠前台座を、予め扉面に取り付けた取付板に係止した後、ビスを用いた本固定が行われる。本固定の前に、取付板によって係止による仮固定を可能とすることで、錠前台座の位置決め精度、取り付け作業性が高められる。
【０００３】
取付板１は、図８に示すよに、扉３の反対面に既に取り付けられている台座脚に穿孔形成された雌ネジナット部、或いは扉３の貫通孔５に内設された埋め込みナット７に、ビス９を螺着して扉面３ａに固定される。この取付板１には、上方に開口したスリット状の切欠１１を有する受板１３が、扉面３ａに垂直な方向で突設されている。一方、錠前台座１５の取付面には、受板１３の切欠１１に、上方から挿入されて係止する係止板１７が設けられている。したがって、錠前台座１５は、予め扉面３ａに固定された取付板１の受板切欠１１に、上方から係止板１７を落とし込むようにして係止することにより、所定位置に仮固定され、その後、受板１３に設けられた螺子穴１９に、側面より不図示の固定ビスを螺合することで、取付板１を介して扉３に本固定された。
【発明の開示】
【発明が解決しようとする課題】
【０００４】
ところで、扉３には、取付板１を固定するための貫通孔５が穿設されているため、扉３を挟む両側の空間２１，２３に圧力差が生じていると、この貫通孔５を通過して隙間風の発生する問題が生じる。隙間風は、空調効果を低下させたり、騒音となる場合もある。このような不具合を解消するために、従来では、扉面３ａと取付板１との間に、図８に示すパッキンシートである薄厚のゴムシート２５が挟入されていた。ゴムシート２５は、取付板１のビス９の外周に密着するとともに、錠前台座１５の当接周端面１５ａと扉面３ａとの間に挟入され、錠前台座１５の内部と室内２３との気密性を高める。
しかしながら、ゴムシート２５は、取付板１の外周から周縁２５ａが延出するように予め取り付けられていることから、係止板１７を受板１３の切欠１１に落とし込むように上方から錠前台座１５を仮固定のために係止すると、錠前台座１５の当接周端１５ｂが周縁２５ａに摺接し、落とし込み動作に伴い、図８，図９に示すように、扉面３ａから剥がれるように捲れる場合があった。このようにしてゴムシート２５が捲れたまま、錠前台座１５を本固定してしまえば、錠前台座１５の当接周端面１５ａが同一平面のゴムシート２５に密接しなくなり、気密性が低下して、隙間風が発生するとともに、見栄えも低下させ、施工不良となって、施工のやり直しや、ゴムシート２５の交換が必要となる場合があった。
【０００５】
本発明は上記状況に鑑みてなされたもので、薄厚のパッキンシートが予め取り付けられる錠前台座の取付構造において、パッキンシートを捲ることなく、錠前台座を仮固定から本固定できる錠前台座の取付方法及びそれに用いる捲れ防止シートを提供し、もって、隙間風の確実な防止、見栄えの低下や、パッキンシート破損等の施工不良の防止を図ることを目的とする。
【課題を解決するための手段】
【０００６】
次に、上記の課題を解決するための手段を、実施の形態に対応する図面を参照して説明する。
本発明の請求項１記載の錠前台座の取付方法は、扉面３ａとの間にパッキンシート２５を挟入し外周から該パッキンシート２５の周縁２５ａが延出するように取付板１を前記扉面３ａに取り付け、該取付板１に突設した受板１３の切欠１１に係止板１７を係止させつつ前記取付板１を内方に収容し当接周端面１５ａを前記パッキンシート２５の前記周縁２５ａに押し当てて錠前台座１５を前記扉面３ａに取り付ける錠前台座１５の取付方法であって、
前記パッキンシート２５を挟んで前記取付板１を取り付けた後、前記パッキンシート周縁２５ａの一部分を覆う捲れ防止シート４５を剥離可能に前記扉面３ａに貼り、
前記錠前台座１５を前記取付板１に係止して前記扉面３ａに取り付けた後、前記パッキンシート２５と前記錠前台座１５の当接周端面１５ａとに挟まれた前記捲れ防止シート４５を、前記扉面３ａから剥離して抜き取ることを特徴とする。
【０００７】
この錠前台座の取付方法では、錠前台座１５を取付板１に仮固定する落とし込み作業の際、錠前台座１５の当接周端面１５ａが、パッキンシート２５を覆った捲れ防止シート４５上を摺接することとなり、パッキンシート周縁２５ａが当接周端面１５ａに引っ掛かって捲れなくなる。
【０００８】
請求項２記載の捲れ防止シートは、外周からパッキンシート２５の周縁２５ａが延出するように該パッキンシート２５を挟んで取付板１を扉面３ａに取り付けた後、前記パッキンシート周縁２５ａの一部分を覆うように剥離可能に前記扉面３ａに貼られ、錠前台座１５を前記取付板１に係止して前記扉面３ａに取り付けることで前記パッキンシート２５と該錠前台座１５の当接周端面１５ａとに挟まれた後、前記扉面３ａから剥離して抜き取られる捲れ防止シート４５であって、
滑り性を有する所定強度のフイルム材からなり、
前記扉面３ａに剥離可能に接着する粘着層４７が、前記パッキンシート２５と前記錠前台座１５の当接周端面１５ａとに挟まれない辺部周縁５１に形成されたことを特徴とする。
【０００９】
この捲れ防止シートでは、粘着層４７が扉面３ａから剥離されることにより、剥離作業と、抜き取り作業とが分離され、粘着層４７がパッキンシート２５と錠前台座１５とによって挟まれることが無く、捲れ防止シート４５の容易な除去が可能となる。
【００１０】
請求項３記載の捲れ防止シート４５は、少なくとも前記粘着層４７の形成領域以外の領域５３に、前記抜き取り方向と平行な複数の摩擦軽減溝５５が形成されたことを特徴とする。
【００１１】
この捲れ防止シートでは、パッキンシート２５と錠前台座１５とに挟まれる領域５３に、抜き取り方向と平行な複数の摩擦軽減溝５５が形成され、パッキンシート２５と錠前台座１５とに挟まれた後の捲れ防止シート４５の摩擦力が低減される。
【００１２】
請求項４記載の捲れ防止シートは、前記粘着層４７の形成領域以外の領域５３が、前記辺部４９を一辺とする略三角形状に形成されたことを特徴とする。
【００１３】
この捲れ防止シートでは、引き抜き作業の際に、引き抜き方向後方側の面積が、徐々に小さくなり、摩擦力が低減される。
【００１４】
請求項５記載の捲れ防止シートは、前記粘着層４７の形成領域以外の領域５３が、前記辺部４９を径方向とする略半楕円形状に形成されたことを特徴とする。
【００１５】
この捲れ防止シートでは、引き抜き作業の際に、引き抜き方向後方側の面積が、徐々に小さくなり、摩擦力が低減されるとともに、略三角形状に比べて破れ強度が高められる。
【発明の効果】
【００１６】
本発明に係る請求項１記載の錠前台座の取付方法によれば、パッキンシートを挟んで取付板を扉面に取り付けた状態で、取付板から延出したパッキンシート周縁の一部分を覆うように、捲れ防止シートを扉面に貼り、取付板に錠前台座を仮固定した後、捲れ防止シートを扉面から剥離して抜き取るので、錠前台座を取付板に仮固定する落とし込み作業の際、錠前台座の当接周端面が、パッキンシートを覆った捲れ防止シート上を摺接することとなり、パッキンシート周縁が当接周端面に引っ掛かって捲れることがない。この結果、位置決め精度、作業性を良好にする錠前台座の仮固定を可能にしつつ、隙間風、見栄えの低下、パッキンシート破損等の施工不良を防止することができる。
【００１７】
請求項２記載の錠前台座の取付方法によれば、錠前台座が正規位置に仮固定された状態で、捲れ防止シートの粘着層が、パッキンシートと錠前台座とに挟まれない部分で、扉面に貼着された状態となるので、この粘着層を扉面から剥離することにより、剥離作業と、抜き取り作業とを分離して、捲れ防止シートの容易な除去を可能にすることができる。また、所定強度のフイルム材を用いることにより、引き抜き時に、捲れ防止シートの破損を防止して、残片がパッキンシートと錠前台座との間に挟まれた状態となることを防止できる。
【００１８】
請求項３記載の捲れ防止シートによれば、粘着層の形成領域以外の領域に、すなわち、主にパッキンシートと錠前台座とに挟まれる領域に、抜き取り方向と平行な複数の摩擦軽減溝を形成したので、パッキンシートと錠前台座とに挟まれた後の捲れ防止シートの摩擦力を低減し、容易な抜き取りを可能とすることができる。
【００１９】
請求項４記載の捲れ防止シートによれば、粘着層の形成領域以外の領域が、辺部を一辺とする略三角形状で形成されたので、捲れ防止シートの引き抜き作業の際に、引き抜き方向後方側の面積が、徐々に小さくなり、摩擦力を低減させて、引き抜き性を良好にできるとともに、破れ難くすることができる。
【００２０】
請求項５記載の捲れ防止シートによれば、粘着層の形成領域以外の領域が、辺部を径方向とする略半楕円形状で形成されたので、捲れ防止シートの引き抜き作業の際に、引き抜き方向後方側の面積が、徐々に小さくなり、摩擦力を低減させて、引き抜き性を良好にできるとともに、略三角形状に比べて破れ強度を更に高めることができる。
【発明を実施するための最良の形態】
【００２１】
以下、本発明に係る錠前台座の取付方法及びそれに用いる捲れ防止シートの好適な実施の形態を図面を参照して詳細に説明する。
図１は本発明に係る方法によって錠前台座が固定された錠付把手の側面図、図２は図１に示した要部断面図、図３は図２に示したパッキンシートと取付板の分解斜視図、図４は捲れ防止シートの基本形状を（ａ）、変形例１を（ｂ）、変形例２を（ｃ）、変形例３を（ｄ）に表した説明図である。なお、図８，図９に示した部材と同一の部材には同一の符号を付し、重複する説明は省略するものとする。
【００２２】
本実施の形態による錠前台座の取付方法は、例えば、図１に示す錠付把手３１の上端及び下端に設けられた錠前台座１５，１５を、扉３に固定するに際し、好適に用いられる。把手３３の上端、下端の錠前台座１５は、略同一の構造とすることが可能であるので、本実施の形態では、上端の錠前台座１５の取付方法を代表例として説明する。
【００２３】
錠前台座１５の取付構造は、図２に示すように、扉３に予め形成された貫通孔５に、埋め込みナット７を内設し、この埋め込みナット７に対して取付板１をビス９によって固定している。また、扉３の両面に把手が配設される場合には、図示しないが、上記把手３３とは反対面に配設される他方の台座に脚部が延出形成され、その脚部に雌ネジ部が形成され、扉３を貫通するこの脚部に対してビスにより固定される。
取付板１と扉面３ａとの間には、取付板１の外周から周縁２５ａを全周に亘って延出させたパッキンシートであるゴムシート２５が挟入されている。本実施の形態では、図３に示すように、取付板１の基板１ａが楕円形状に形成され、ゴムシート２５は、これより大きい略相似形の楕円形状で形成されている。
【００２４】
また、ゴムシート２５には、ビス貫通孔３５，３５、錠機構部材貫通スリット３７が形成される。一方、取付板１には、固定用のビス貫通孔３９，３９、錠機構部材貫通穴４１、及び両側部から扉面３ａと垂直に起立する一対の受板１３，１３が折曲形成されている。この受板１３には、上方が開口した上述の切欠１１が形成される。切欠１１の上部には逆ハの字状の案内面４３が形成され、案内面４３は係止板１７の切欠１１への進入を案内する。
【００２５】
係止板１７が案内面４３に当接した状態では、錠前台座１５の当接周端面１５ａと扉面３ａとにはある程度の間隙が形成されるが、係止板１７が下方へ移動し、案内面４３によって係止板１７が切欠１１へ進入した状態では、錠前台座１５の当接周端面１５ａは、扉面３ａに略接する位置に配置される。
【００２６】
受板１３の先端には、錠前台座１５の側方から貫通した不図示の固定ビスを螺合するための上記の螺子穴１９が形成されている。ゴムシート２５は、取付板１の外形より大きく形成されているため、取付板１と扉面３ａとの間に挟まれた際には、取付板１の外周から所定幅で周縁２５ａが延出することとなる。
【００２７】
図２に示すように、錠前台座１５は、当接周端面１５ａがこの周縁２５ａに当接するとともに、その内方に、取付板１を収容する。つまり、当接周端面１５ａは、ゴムシート２５のみを介して扉面３ａに当接することとなる。
【００２８】
ところで、錠前台座１５が取付板１に仮固定される前には、取付板１から延出したゴムシート２５の一部分、本実施の形態では、上部周縁２５ａを覆う図４に示す捲れ防止シート４５が剥離可能に扉面３ａに貼着される。捲れ防止シート４５は、滑り性を有するとともに所定強度、すなわち伸長したり破損することのない性質を備えた薄厚のフイルム材からなる。また、捲れ防止シート４５は、扉面３ａに剥離可能に接着する粘着層４７が、ゴムシート２５と錠前台座１５の当接周端面１５ａとに挟まれない辺部４９の周縁５１に形成されている。このように、粘着層４７を設けることにより、所望の位置、すなわち、周縁２５ａの捲れを防止したい位置に捲れ防止シート４５を、容易に保持しておくことが可能となる。なお、粘着層４７を形成する粘着剤としては、扉面３ａに対して、容易にかつ確実に貼着可能な素材とされるとともに、剥離した後に、粘着剤が扉面３ａに残留することのない材質素材や、扉面３ａに対して吸着するような粘着素材などよりなり、また、この粘着層４７のある部分については、錠前台座１５とゴムシート２５とに挟まれる領域の厚さに比して厚みを有していても良い。
【００２９】
このような構成とすることにより、捲れ防止シート４５は、粘着層４７が扉面３ａから剥離されることにより、剥離作業と、抜き取り作業とが分離される。また、粘着層４７がゴムシート２５と錠前台座１５とによって挟まれることが無く、捲れ防止シート４５の容易な除去が可能となっている。
【００３０】
捲れ防止シート４５には、図４（ｂ）に示すように、粘着層４７の形成領域以外の領域５３に、抜き取り方向と平行な複数の摩擦軽減溝５５が形成されていることとしてもよい。このように、粘着層４７の形成領域以外の領域５３、すなわち、主にゴムシート２５と錠前台座１５とに挟まれる領域に、抜き取り方向と平行な複数の摩擦軽減溝５５を形成することで、ゴムシート２５と錠前台座１５に挟まれた後の捲れ防止シート４５の摩擦力を低減し、容易な抜き取りを可能としている。
【００３１】
また、捲れ防止シート４５は、図４（ｃ）に示すように、粘着層４７の形成領域以外の領域５３を、辺部４９を一辺とする略三角形状に形成することができる。このような形状とすることで、捲れ防止シート４５の引き抜き作業の際に、引き抜き方向後方側の面積が、徐々に小さくなり、摩擦力を低減させて、引き抜き性を良好にできるとともに、破れ難くすることができる。
【００３２】
さらに、捲れ防止シート４５は、図４（ｄ）に示すように、粘着層４７の形成領域以外の領域５３を、辺部４９を径方向とする略半楕円形状に形成してもよい。このような形状とすることで、捲れ防止シート４５の引き抜き作業の際に、引き抜き方向後方側の面積が、徐々に小さくなり、摩擦力を低減させて、引き抜き性を良好にできるとともに、略三角形状に比べて破れ強度を更に高めることができる。
【００３３】
次に、上記の捲れ防止シート４５を用いた錠前台座の取付方法について説明する。
図５は錠前台座仮固定前の取り付け動作説明図、図６は錠前台座落とし込み前の取り付け動作説明図、図７は錠前台座落とし込み後の取り付け動作説明図である。
錠前台座１５を扉面３ａに本固定するには、先ず、図５に示すように、扉面３ａに予めゴムシート２５を挟持した状態で取付板１をビス９によって固定しておく。本実施の形態では、係止板１７の落とし込み方向が、上方から下方へとなるため、捲れ防止シート４５を、ゴムシート２５の上部の周縁２５ａを覆うようにして扉面３ａに貼着する。
【００３４】
次いで、図６に示すように、錠前台座１５の係止板１７を、受板切欠１１の案内面４３に一致させ、図７に示すように、錠前台座１５を下方へ移動させながら、係止板１７を切欠１１に落とし込む。この際、錠前台座１５の当接周端面１５ａは、捲れ防止シート４５の表面に摺接しながら、捲れ防止シート４５によって覆われたゴムシート周縁２５ａを通過しながら所定位置で停止する。つまり、薄厚のゴムシート２５は、捲れ防止シート４５に覆われることにより、当接周端面１５ａの摺接によっても、図９に示すように、上端が捲れることがない。
【００３５】
錠前台座１５が所定位置に仮固定完了した後に、錠前台座１５の上部から上方へ表出する捲れ防止シート４５の粘着層４７を扉面３ａから剥離し、捲れ防止シート４５をゴムシート２５と錠前台座１５との間から抜き取る。その後、錠前台座１５の側部から図示しない固定ビスを受板１３の螺子穴１９に螺合することにより、錠前台座１５の固定が完了する。これにより、錠前台座１５は、取付板１を内方に収容しつつ、取付板１の外周から延出したゴムシート２５の周縁２５ａに当接周端面１５ａを当接した状態で扉面３ａに固定される。
【００３６】
したがって、上記の錠前台座の取付方法によれば、ゴムシート２５を挟んで取付板１を扉面３ａに取り付けた状態で、取付板１から延出したゴムシート周縁２５ａの一部分を覆うように、捲れ防止シート４５を扉面３ａに貼り、取付板１に錠前台座１５を仮固定した後、捲れ防止シート４５を扉面３ａから剥離して抜き取るので、錠前台座１５を取付板１に仮固定する落とし込み作業の際、錠前台座１５の当接周端面１５ａが、ゴムシート２５を覆った捲れ防止シート４５上を摺接することとなり、ゴムシート周縁２５ａが当接周端面１５ａに引っ掛かって捲れることがない。この結果、位置決め精度、作業性を良好にする錠前台座１５の仮固定を可能にしつつ、隙間風、見栄えの低下、ゴムシート２５の破損等の施工不良を防止することができる。
【００３７】
また、捲れ防止シート４５によれば、錠前台座１５が正規位置に仮固定された状態で、粘着層４７が、ゴムシート２５と錠前台座１５とに挟まれない部分で、扉面３ａに貼着された状態となるので、この粘着層４７を扉面３ａから剥離することにより、剥離作業と、抜き取り作業とを分離して、捲れ防止シート４５の容易な除去を可能にすることができる。また、所定強度のフイルム材を用いることにより、引き抜き時に、捲れ防止シート４５の破損を防止して、残片がゴムシート２５と錠前台座１５との間に挟まれた状態となることを防止できる。
【図面の簡単な説明】
【００３８】
【図１】本発明に係る方法によって錠前台座が固定された錠付把手の側面図である。
【図２】図１に示した要部断面図である。
【図３】図２に示したパッキンシートと取付板の分解斜視図である。
【図４】捲れ防止シートの基本形状を（ａ）、変形例１を（ｂ）、変形例２を（ｃ）、変形例３を（ｄ）に表した説明図である。
【図５】錠前台座仮固定前の取り付け動作説明図である。
【図６】錠前台座落とし込み前の取り付け動作説明図である。
【図７】錠前台座落とし込み後の取り付け動作説明図である。
【図８】従来のパッキンシートが捲れた錠前台座の要部断面図である。
【図９】従来のパッキンシートが捲れた錠前台座を有する錠付把手の外観斜視図である。
【符号の説明】
【００３９】
１…取付板
３…扉
３ａ…扉面
１１…切欠
１３…受板
１５…錠前台座
１５ａ…当接周端面
１７…係止板
２５…パッキンシート（ゴムシート）
２５ａ…周縁
４５…捲れ防止シート
４７…粘着層
４９…辺部
５３…粘着層の形成領域以外の領域
５５…摩擦軽減溝
【図１】
2007126938.tif 000003
【図２】
2007126938.tif 000004
【図３】
2007126938.tif 000005
【図４】
2007126938.tif 000006
【図５】
2007126938.tif 000007
【図６】
2007126938.tif 000008
【図７】
2007126938.tif 000009
【図８】
2007126938.tif 000010
【図９】
2007126938.tif 000011